(57)【要約】      （修正有）【課題】分針の位置と打刻される分の打鈴数が完全に一致するミニッツ・リピータを有する時計ムーブメントを提供する。【解決手段】打撃機構を備えた機械式時計ムーブメント１に関し、センサ手段と協働するための渦巻カム１１を同軸状に取り付けた第１の筒カナ８を備える第１の筒７を有し、第１の筒はムーブメントの時方輪列によって間接的に駆動される。第２の筒カナ１４ａを備える第２の筒１４をさらに有すること、第２の筒は分針４を保持していること、第２の筒カナは一方で時方輪列に、他方で分車６ａに係合していること、分車は第１の筒カナに係合していること、モーションワークのカナ６ｂは第２の筒と同軸の時車１３に係合していること、分車は固定点の周りに枢動するように構成されたレバー１５上に取り付けられておりその角度位置は第１の筒カナおよび第２の筒カナに対する分車の位置調整を可能とするように枢動することにより調整され得る。【選択図】図１
2019101033.tif 000002
【特許請求の範囲】
【請求項１】
打撃機構を備えた機械式時計ムーブメントであって、前記打撃機構は、前記打撃機構のセンサ手段と協働するための少なくとも１つの渦巻カム（１１）を同軸状に取り付けた、第１の筒カナ（８）を備える少なくとも第１の筒（７）を有し、前記第１の筒（７）は、当該ムーブメントの時方輪列によって少なくとも間接的に駆動されるように構成されている、ムーブメントにおいて、
当該ムーブメントは、第２の筒カナ（１４ａ）を備える第２の筒（１４）をさらに有することと、
前記第２の筒（１４）は、分針（４）を保持していることと、
前記第２の筒カナ（１４ａ）は、一方で前記時方輪列に、他方で分車（６ａ）に係合していることと、
前記分車（６ａ）は、前記第１の筒カナ（８）に係合していることと、
モーションワークのカナ（６ｂ）は、前記第２の筒（１４）と同軸の時車（１３）に係合していることと、
前記分車（６ａ）は、固定点の周りに枢動するように構成されたレバー（１５）上に取り付けられており、前記レバーの角度位置は、前記第１の筒カナ（８）および前記第２の筒カナ（１４ａ）に対する前記分車（６ａ）の位置調整を可能とするように枢動することにより調整され得ることと、を特徴とする、機械式時計ムーブメント。
【請求項２】
前記レバー（１５）の角度位置の調整は、前記レバー（１５）の前記固定点と反対の端（１５ｂ）に設けられた収容部（１５ｃ）内で動く偏心部材（１８）によって実現することを特徴とする、請求項１に記載の機械式時計ムーブメント。
【請求項３】
前記レバー（１５）の前記偏心部材（１８）と前記収容部（１５ｃ）との間の摩擦によって、調整後の角度位置で、前記レバー（１５）は定位置に固定されることを特徴とする、請求項２に記載の機械式時計ムーブメント。
【請求項４】
前記分車（６ａ）は、当該ムーブメントの平面に平行な平面において垂直に延びる軸（１６）に関して回転自在に取り付けられており、前記レバー（１５）は、当該時計ムーブメントの平面に平行に延在している、ことを特徴とする、請求項１〜３のいずれかに記載の機械式時計ムーブメント。
【請求項５】
前記レバーの角変位の結果として、前記分車の歯の侵入は、前記第１の筒カナの歯部と前記第２の筒カナの歯部において同じ深さとなるように、前記レバー（１５）は、前記第１の筒カナ（８）および前記第２の筒カナ（１４ａ）に対して配置されていることを特徴とする、請求項１〜４のいずれかに記載の機械式時計ムーブメント。
【請求項６】
前記分車（６ａ）の歯はそれぞれ、２〜１０°の間の頂角（α）をなす直線分を呈する駆動歯面（６ｄ）を有することを特徴とする、請求項１〜５のいずれかに記載の機械式時計ムーブメント。
【請求項７】
前記第１の筒（７）は、分渦巻カム（１１）、サプライズピース（１０）、およびクォータ渦巻カム（９）を有することを特徴とする、請求項１〜６のいずれかに記載の機械式時計ムーブメント。
【請求項８】
前記分車（６ａ）は、前記分車と同軸のモーションワークのカナと一体であり、前記モーションワークのカナは、時車（１３）に係合している、ことを特徴とする、請求項１〜７のいずれかに記載の機械式時計ムーブメント。
【請求項９】
前記時車（１３）は、前記第２の筒（１４）と同軸であり、前記時車（１３）は、前記第２の筒（１４）を取り囲む筒（１３ａ）を有し、該筒の端に時針（３）を保持している、ことを特徴とする、請求項８に記載の機械式時計ムーブメント。
【請求項１０】
請求項１〜９のいずれかに記載のムーブメントを備えた時計、特に腕時計。
【発明の詳細な説明】
【技術分野】
【０００１】
本発明は、打撃機構を備えた機械式時計ムーブメントに関し、より具体的には、分輪列におけるバックラッシュを抑えるための装置を備えた、かかるムーブメントに関するものである。
【０００２】
本発明は、さらに、時計に関し、より具体的には、打撃機構を備えた腕時計であって、かかるムーブメントを備えた腕時計に関する。
【背景技術】
【０００３】
時計の打撃機構は、高度なコンプリケーションであり、それらの構成部品の数および運動学的複雑さと、それらの可能な動作モードと、その両方によるコンプリケーションである。
【０００４】
打撃機構、より具体的には、トラディショナル・リピータを備える打撃機構では、分渦巻カム、すなわち分打撃機構を調整するために分片のフィーラと協働するノッチを有するカムは、その端に分針を保持する筒に直接固定されている。このような構成により、文字盤の分目盛に関する分針の位置と打刻される分の打鈴数との間にずれがない機構を確保する。
【０００５】
美的理由またはその他の理由で、通常は主筒カナに保持される分渦巻カムに対して軸的に時針および分針の配置をずらすことが望ましい場合には、中間車または効果的にはムーブメントのモーションワークによって主筒カナに連結される副筒カナを設ける。このような構成では、主筒カナが保持する分渦巻カムの位置と、副筒カナが保持する分針の分目盛に関する位置との対応関係は、分輪列における角度バックラッシュの和に依存する。副筒カナと、分渦巻カムを保持する主筒カナと、の間のこの総バックラッシュは、典型的には３〜８°程度である。６°の円弧が、文字盤の分目盛での１分の読み取り誤差に相当することを考えると、文字盤の分目盛に関する分針の位置と打刻される分の打鈴数とが違っている場合がある。当然のことながら、このような状況は、ミニッツ・リピータまたはグランドソヌリ（ｇｒａｎｄｅ ｓｏｎｎｅｒｉｅ）打撃機構を有する時計ムーブメントを備えた時計に相当する高級かつ高品質な製品の場合には、許容できない。
【発明の概要】
【発明が解決しようとする課題】
【０００６】
そこで、本発明の主要な目的は、従来技術の欠点に対処した、打撃機構を有する、より具体的にはミニッツ・リピータを有する、時計ムーブメントを提供することであり、特に、文字盤の分目盛に関する分針の位置と打刻される分の打鈴数との完全な一致を確保するために、主筒カナと副筒カナとの間にわたる輪列におけるバックラッシュが低減または抑制される、かかるムーブメントを提供することである。
【０００７】
本発明の目的は、さらに、スペースを節約するとともに、実現が経済的かつ容易である、かかる時計ムーブメントを提供することである。
【０００８】
本発明の目的は、さらに、高度なコンプリケーションであるとともに小部品連で製造されるこれらの機構において顕著であることが多い構成部品の寸法公差をいずれも補償することを可能とする調整が、時計職人により可能である装置を提供することである。
【課題を解決するための手段】
【０００９】
この目的のため、本発明は、打撃機構を備えた機械式時計ムーブメントに関し、その打撃機構は、打撃機構のセンサ手段と協働するための少なくとも１つの渦巻カムを同軸状に取り付けた、第１の筒カナを備える少なくとも第１の筒を有し、第１の筒カナは、ムーブメントの時方輪列によって少なくとも間接的に駆動されるように構成されており、このムーブメントは、第２の筒カナを備える第２の筒をさらに有することと、第２の筒カナは、分針を保持していることと、第２の筒カナは、一方で時方輪列に、他方で分車に係合していることと、分車は、第１の筒カナに係合していることと、モーションワークのカナは、第２の筒カナと同軸の時車に係合していることと、分車は、固定点の周りに枢動するように構成されたレバー上に取り付けられており、その角度位置は、第１の筒カナおよび第２の筒カナに対する分車の位置調整を可能とするように枢動することにより調整され得ることと、を特徴とする。
【００１０】
この装置によれば、分車を保持するレバーの角度位置に対するその作用によって、時計職人は、第１の筒カナと第２の筒カナとの間にわたる輪列におけるバックラッシュの調整のために、簡単な装置を自由に使うことができる。このようにして、時計職人は、分車の真と第１および第２の筒カナのそれぞれの真との間の距離を容易に調整することが可能であり、その結果、第１および第２の筒のそれぞれのカナの歯部における分車の歯の侵入深さを調整することが可能となり、これにより、輪列におけるバックラッシュを調整することで、文字盤の分目盛に関する分針の位置と、分片のフィーラによる情報収集時の分渦巻カムの位置ひいては打鈴数と、の完全な一致を確保する。
【００１１】
本発明の他の効果的な特徴によれば、
−  レバーの角度位置の調整は、レバーの固定点と反対の端に設けられた収容部内で動く偏心部材によって実現する。
−  レバーの偏心部材と収容部との間の摩擦によって、または偏心部材に近接した補助止めネジによって、調整後の角度位置で、レバーは定位置に固定される。
−  分車は、ムーブメントの平面に対して垂直に延びる軸に関して回転自在に取り付けられており、レバーは、時計ムーブメントの平面に平行な平面内に延在している。
−  レバーの角変位の結果として、分車の歯の侵入は、第１の筒カナの歯部と第２の筒カナの歯部において同じ深さとなるように、レバーは、第１の主筒カナおよび第２の筒カナに対して配置されている。
−  分車の歯はそれぞれ、２〜１０°の間の頂角をなす直線分を呈する駆動歯面を有する。
−  第１の筒は、分渦巻カム、サプライズピース、およびクォータ渦巻カムを有する。
−  分車は、これと同軸のモーションワークのカナと一体であり、モーションワークのカナは、時車に係合している。
−  時車は、第２の筒カナと同軸であり、時車は、第２の筒カナを取り囲む筒を有し、その端に時針を保持している。
−  バックラッシュ調整機能のさらなるサポートのために、頂角をなす２つの直線分を含む歯面の形状は、調整範囲にわたる遊びの減少の線形性を示すように構成されている。
【００１２】
本発明のその他の特徴的特質および効果については、添付の図面を参照して以下の詳細な説明を精査することで、理解されるであろう。
【図面の簡単な説明】
【００１３】
【図１】図１は、本発明の打撃機構を有する時計ムーブメントの部分切断斜視図を示している。
【図１ａ】図１ａは、モーションワーク車を保持するレバーを示す、本発明のムーブメントの部分断面を示している。
【図１ｂ】図１ｂは、モーションワーク車を保持するレバーの角度方位を調整するための装置を示す、上から見た図１の詳細を示している。
【図１ｃ】図１ｃは、図１ｂのＡ−Ａ線に沿った断面を示している。
【図２】図２は、図１に示す本発明の時計ムーブメントの詳細を斜視図で示している。
【図３】図３は、本発明のムーブメントの筒カナの歯部における分車の歯列の侵入深さを調整するための、モーションワーク車を保持するレバーの調整の２つの位置の一方にある分車を、上から見た図で示している。
【図３ａ】図３ａは、図３の筒カナにおける分車の歯列の係合の詳細の図である。
【図４】図４は、本発明のムーブメントの筒カナの歯部における分車の歯列の侵入深さを調整するための、モーションワーク車を保持するレバーの調整の２つの位置の他方にある分車を、上から見た図で示している。
【図４ａ】図４ａは、図４の筒カナにおける分車の歯列の係合の詳細の図である。
【図５】図５は、分車の歯列の詳細である。
【発明を実施するための形態】
【００１４】
図１は、例えば腕時計型の時計に組み込まれるための、時計ムーブメント１を示している。この時計ムーブメント１は、少なくとも打撃機構２を有し、その要素のうち、本発明の理解に必要なもののみを示している。
【００１５】
当業者であれば、Francois LECOULTREによる文献「Les montres compliquees」（Editions horlogeres，Bienne（スイス），１９８５年，ＩＳＢＮ：２−８８１７５−０００−１）を参照することができるであろう。この文献は、９７〜２０５頁の、以下のようないくつかの章において、打撃機構を構成する基本的機構について詳細に説明している。
−  打撃機構
−  アンティーク・リピータ
−  モダンクォーツ・リピータ
−  簡易リピータ
−  ハーフクォータ・リピータ
−  ブレゲ（Ｂｒｅｇｕｅｔ）ハーフクォータ・リピータ
−  ファイブミニッツ・リピータ
−  ミニッツ・リピータ
−  グランドソヌリ
【００１６】
必要な場合を除き、これらの基本的機構について、本明細書では詳細に解説しないが、打撃機構の専門家であれば、その構成を、この普遍的な参考文献の、参照により本明細書に組み込まれる上記の章において、確認することができるであろう。
【００１７】
斜視図で部分的に示すムーブメント１は、通常は、地板Ｐと、脱進機（図示せず）に係合している時方輪列に係合する香箱と、を備える。時方輪列は、さらに、ムーブメント１の上方の文字盤５の中心において変位させられる時針３および分針４を駆動する分輪列Ｍにも連結されている。この具体的な例では、ムーブメントは円形状であり、文字盤は、ムーブメントの中心位置にない。
【００１８】
分輪列は、通常は、分車６ａとモーションワークのカナ６ｂとで形成されるモーションワーク車６を含む。
【００１９】
打撃機構２は、分車６ａに係合している第１の筒カナ８を上端に保持する真７ａを有する第１の筒７を含む。真７ａは、順に、かつ同軸状に重ねて、クォータ渦巻カム９とサプライズピース１０と分渦巻カム１１とを保持しており、これらは、打撃機構２のフィーラ（図示せず）とそれぞれ協働する。当然のことながら、本発明の変形実施形態では、真７ａは、１つのみの渦巻カムを有してよい。図示の例では、第１の筒カナの真７ａは、さらに、その中央部分に、従来の時刻設定機構（図示せず）に係合するためのカナ１２を保持している。一変形例によれば、このカナ１２は省くことができ、時刻設定機構は、モーションワークＭに直接係合することができ、例えば分車６ａに直接係合することができる。モーションワークのカナ６ｂは、その筒１３ａに時針３を保持している時車１３に係合している。分車６ａは、さらに、第２の筒カナ１４のカナ１４ａに係合しており、第２の筒カナの本体１４ｂは、筒１３ａに同軸状に貫通して延在し、分針４を保持している。第２の筒カナのカナ１４ａは、さらに、時方輪列に係合しており、これにより、第１の筒７をこのように間接的に駆動するモーションワークＭの駆動を確保している。
【００２０】
これらの図面から分かるように、モーションワーク車６は、図示の例ではレバー１５の中央部分に設けられた開口に挿入された真１６に関して回転するように、レバー１５上に取り付けられている。略アーチ形状を呈するレバー１５は、その第１端１５ａで、地板Ｐの上方に広がる受けＰｏに直接ネジ込まれるネジ１７によって固定されている。レバーは、その第１端１５ａの領域において、括れＲで規定されるネック部を呈し、これにより、弾性撓み可能な可撓部を形成するとともに、レバー１５の平面に対して垂直に延びる屈曲軸ＦＬを規定している。レバー１５は、その固定端１５ａと反対の第２端１５ｂに、その中で偏心部材１８が動く収容部１５ｃを有し、偏心部材１８は、ヘッド１８ａを有し、これが円柱状本体１８ｂによって拡張され、これが次に、円柱状本体１８ｂに対して偏心したニップル１８ｃによって拡張されている。ヘッド１８ａは、その上面に、操作工具の端を受けるためのスロット１８ｄを備える。本体１８ｂは、レバー１５の対応する開口に挿入されており、ニップル１８ｃは、受けＰｏに設けられた長円開口１８ｅ内に延出している。従って、偏心部材１８が回転するように操作されると、レバーは、ムーブメント１の平面に略平行な平面内で、括れＲの最狭点に位置するその屈曲軸ＦＬに関して、矢印Ｆに従って回転変位し得る。このように、例えばネジ回しによる偏心部材１８の回転操作によって、第１の筒７のカナ８および第２の筒１４のカナ１４ａに対する分車６ａの位置の同時調整を可能とするように、レバー１５の角度位置を調整し得る。調整された位置は、レバー１５の開口内での本体１８ｂの摩擦によって維持される。さらに、レバー位置の調整後に、ネック部の弾性によってレバーを戻すことが可能であるとともに、その同量で輪列におけるバックラッシュを減らすことが可能となることに留意すべきである。
【００２１】
より具体的には、屈曲軸ＦＬに関するレバー１５の角変位によるレバー１５の円弧変位の結果として、第１の筒７のカナ８の歯部と第２の筒１４のカナ１４ａの歯部における分車６ａの歯の侵入が同じ深さとなるように、レバー１５は、第１の筒７のカナ８および第２の筒１４のカナ１４ａに対して配置されている。
【００２２】
これに関連して、時計用歯車装置は、典型的には、公称中心距離で、歯部のバックラッシュは歯列の角ピッチの０．１６倍程度であるということに留意すべきである。
【００２３】
例えば、カナが２０歯を有する場合に、３６０°／２０×０．１６すなわち２．６８°のバックラッシュであると仮定する。本発明のムーブメントの分車の場合のように、他の２つの歯車またはカナに係合する歯車の場合、そのバックラッシュは累加的であり、これにより、２×２．６８°すなわち５．３６°程度の総バックラッシュとなる。このようなバックラッシュで、それらの歯車の製造公差を考慮すると、筒１４が保持する分針４の、文字盤５の分目盛に関する位置と、筒カナが保持する分渦巻カム１１によって得られる、打刻される分の打鈴数と、の一致を確保するのは難しい。このため、本発明のムーブメントにより、より具体的には、その位置を屈曲軸ＦＬに関して角度調整可能であるレバー１５上にモーションワーク車６を配置することにより、分車と第１の筒７との間および分車と第２の筒１４との間のそれぞれの公称中心距離を同時に変化させることを、より具体的には、これらの中心距離を減少させることを可能とし、これにより、歯部の間のバックラッシュを最適化して、一方で分渦巻カムの位置と文字盤に関する分針の位置との完全な一致と、他方で当該の歯部の摩耗が最小限であること、を確保するバックラッシュを伴う噛合を可能とする。
【００２４】
より具体的には、図３、３ａ、４、４ａを参照すると、第１の筒７のカナ８および第２の筒１４のカナ１４ａの歯部への分車の歯列の侵入を調整するための、それぞれ２つの位置で分車６ａを示している。
【００２５】
図３および３ａでは、分車６ａと、第１の筒７のカナ８および第２の筒１４のカナ１４ａとの間の公称中心距離が、この歯車の歯部とこれらのカナの歯部との間のバックラッシュが実質的にゼロであるように、減少していることが分かる。このような構成は、最適ではなく、より具体的には、分渦巻カムの位置と文字盤に関する分針の位置との完全な一致が確保されるとしても、摩耗に関して最適ではない。
【００２６】
これに対し、図４および４ａでは、分車６ａと、第１の筒７のカナ８および第２の筒１４のカナ１４ａとの間の公称中心距離が、この歯車の歯部とこれらのカナの歯部との間のバックラッシュが２°〜４°の間であるように、図３および３ａと比較して、より低い程度で減少している。これにより、歯部の摩耗が最小限であることが確保されるとともに、分渦巻カムの位置と文字盤に関する分針の位置との完全な一致が確保される。
【００２７】
効果的には、モーションワーク車６の位置の調整時に、レバー１５の枢動によって公称中心距離を減少させるときに、歯車およびカナの歯部に係合する分車の歯列の、それらの歯車およびカナの歯部への侵入を促すために、最大数の歯を含む分車の歯部は、２〜１０°の間の頂角をなす直線分を含む駆動歯面６ｄをそれぞれ有する歯６ｃを呈し得る。
【符号の説明】
【００２８】
１      ムーブメント
２      打撃機構
３      時針
４      分針
５      文字盤
６      モーションワーク車
６ａ    分車
６ｂ    モーションワークのカナ
６ｃ    （分車の）歯
６ｄ    駆動歯面
７      第１の筒
７ａ    （第１の筒の）真
８      第１の筒カナ
９      クォータ渦巻カム
１０    サプライズピース
１１    分渦巻カム
１２    カナ
１３    時車
１３ａ  （時車の）筒
１４    第２の筒カナ（第２の筒）
１４ａ  第２の筒カナのカナ（第２の筒カナ）
１４ｂ  第２の筒カナの本体
１５    レバー
１５ａ  レバーの第１端（固定端）
１５ｂ  レバーの第２端
１５ｃ  収容部
１６    （モーションワーク車の）真
１７    ネジ
１８    偏心部材
１８ａ  （偏心部材の）ヘッド
１８ｂ  （偏心部材の）円柱状本体
１８ｃ  （偏心部材の）ニップル
１８ｄ  （偏心部材の）スロット
１８ｅ  長円開口
Ａ      断面線
Ｆ      回転変位方向
Ｐ      地板
Ｐｏ    受け
α      分車の歯の駆動歯面の直線分がなす頂角
【図１】
2019101033.tif 000003
【図１ａ】
2019101033.tif 000004
【図１ｂ】
2019101033.tif 000005
【図１ｃ】
2019101033.tif 000006
【図２】
2019101033.tif 000007
【図３】
2019101033.tif 000008
【図３ａ】
2019101033.tif 000009
【図４】
2019101033.tif 000010
【図４ａ】
2019101033.tif 000011
【図５】
2019101033.tif 000012